(57)【要約】  本発明は、バイザー（２）および下あごストラップ（３）が回転式に上に取り付けられているシェル（１）を備える保護ヘルメットに関し、バイザー（２）の下方部分は、下あごストラップ（３）のゾーン（４）の上に、それらが降下しているときに静止するように付勢され、下あごストラップ（３）は、バイザー（２）の周りに上昇することができる。本発明は、ヘルメットが、バイザー（２）の下方縁を下あごストラップ（３）上の支持ゾーン（４）の上昇軌跡により近付ける、またはバイザー（２）の下方縁を下あごストラップ（３）上の支持ゾーン（４）の上昇軌跡から離して移動させるように構成されたバイザー（２）を移動させる追加の手段を備えるようなものであることを特徴とする。
2008542564.tif 000002
【特許請求の範囲】
【請求項１】
バイザー（２）および下あごストラップ（３）が回転式に上に取り付けられているシェル（１）からなり、バイザー（２）の下方部分が、下あごストラップ（３）のゾーン（４）の上に、それらが降下しているときに静止するように付勢され、下あごストラップ（３）が、バイザー（２）の周りに上昇することができる、保護ヘルメットであって、下方縁を下あごストラップ（３）上の支持ゾーン（４）の上昇軌跡に近付ける、または下方縁を下あごストラップ（３）上の支持ゾーン（４）の上昇軌跡から離して移動させるように構成されたバイザー（２）の追加の可動性を提供する手段を備えることを特徴とする保護ヘルメット。
【請求項２】
前記追加の可動性の手段が、バイザー（２）を傾斜させる手段であることを特徴とする請求項１に記載のヘルメット。
【請求項３】
傾斜させる前記手段が、シェル（１）の側面（６）上に、端部の一方においてバイザー（２）の上で、およびシェル（１）の上のバイザー（２）の回転軸（５）上の他端において旋回するように組み立てられたロッド（７）を備えることを特徴とする請求項２に記載のヘルメット。
【請求項４】
回転軸（５）を誘導する長円形穴（９）を有して、各側面（６）上に、バイザー（２）に接合された側面支持（８）を含むことを特徴とする請求項３に記載のヘルメット。
【請求項５】
バイザー（２）の追加の可動性を下あごストラップ（３）の上昇に連動させる手段を含むことを特徴とする請求項１から４のいずれかに記載のヘルメット。
【請求項６】
下あごストラップ（３）を上昇させることによって、シェル（１）に対するバイザー（２）の回転を制御する手段を含むことを特徴とする請求項１から５のいずれかに記載のヘルメット。
【請求項７】
下あごストラップ（３）を上昇させることでバイザー（２）の回転および傾斜を制御する連動手段を含み、前記手段が、シェル（１）の上に回転式に取り付けられたカム（１０）と、下あごストラップ（３）を上昇させる第１段階中に下あごストラップ（３）を回転させることによってカム（１０）を回転式に駆動するように構成された駆動手段と、ロッド（７）およびバイザー（２）を回転式に駆動するようにロッド（７）の担持表面（２２）を押すカム（１０）に接合された少なくとも１つのフィンガ（１１）と、側面支持（８）を回転軸の周りに駆動するように長円形穴（９）の限界を形成する上方ストップ（１７）および下方ストップ（１８）の上に加えることができるカム（１０）において形成された空洞（１５）とを備えることを特徴とする請求項４に記載のヘルメット。
【請求項８】
前記駆動手段が、カム（１０）に接合され、かつ下あごストラップ（３）に接合された駆動部分（１９）に形成されたトラック（１４）において誘導される駆動本体（１３）を備え、前記トラック（１４）が、内部において駆動本体（１３）が回転式に駆動される認識可能に径方向の部分（１４ａ）と、内部において駆動本体（１３）が回転式に駆動されないほぼ接線方向の部分（１４ｂ）とを備えることを特徴とする請求項７に記載のヘルメット。
【請求項９】
下あごストラップ（３）が下方に移動し、バイザー（２）が降下しているとき、ロッド（７）およびバイザー（２）を上方向運動において回転式に駆動するように、カム（１０）がロッド（７）の担持表面（２３）に圧力を及ぼすことができるフィンガ（１２）を有することを特徴とする請求項７または請求項８に記載のヘルメット。
【請求項１０】
シェル（１）に対するバイザー（２）の回転を下あごストラップ（３）の上昇と連動させる前記手段が、下あごストラップ（３）よりバイザー（２）についてより高い角速度を生成するように構成されることを特徴とする請求項６から９のいずれかに記載のヘルメット。
【発明の詳細な説明】
【技術分野】
【０００１】
本発明は、一般的には、バイザーおよび下あごストラップが上に取り付けられているシェルを備える保護ヘルメットに関する。
【背景技術】
【０００２】
本発明によるヘルメットは、一体的なヘルメットを望むモータサイクリストによって使用されることを意図する。すなわち、これ以後下あごストラップと呼ばれる下あごを保護する部分が存在することによって、モータサイクリストの頭の完全保護を提供し、一方、下あごストラップおよびバイザーの可動性が、ヘルメットの構成を変化させることができることを保証する。
【０００３】
具体的にはヘルメットのシェルの上に取り付けられたバイザーと、シェルに添付され、回転運動によってシェルの後部に向かってバイザーの上を上昇することができる下あごストラップとからなる、レーシング・モータサイクリストによって使用される保護ヘルメットが、特許ＥＰ−Ａ−９９３７８４において記載されている。この従来の技術によれば、下あごストラップは、バイザーの軸に対して上方にずれている回転軸を有し、それにより、バイザーをこすらずに、下あごストラップを上昇させることができる。この構成によれば、バイザーは、その下方縁によって下あごストラップの内部ゾーンの上に静止するはずである。
【特許文献１】特許ＥＰ−Ａ−９９３７８４
【発明の開示】
【発明が解決しようとする課題】
【０００４】
具体的には下方位置にあるときに封止を形成するために、バイザーが効果的に下あごストラップの上において担持されることを保証し、一方、下あごストラップがバイザーの上に容易に上昇することを可能にするように、上方に可動な下あごストラップおよびバイザーを有するヘルメットが必要である。
【課題を解決するための手段】
【０００５】
本発明の１つの目的は、この問題に対する解決法を提案することである。
【０００６】
本発明により、下あごストラップおよびバイザーは、下方位置において共動して、完全な封止を形成することが可能になる。具体的には、好ましい実施形態によれば、バイザーは、バイザーの後に縁を有する下あごストラップの外部部分と共動することができ、それにより、バイザーを完全に遮断し、封止を最大限にすることができる。
【０００７】
好ましい実施形態によれば、バイザーは、シェルに対して回転式に取り付けられるだけでなく、シェルに対する回転軸とは異なる回転軸に沿って追加の傾斜した可動性をも有し、それにより、その傾斜を変化させ、バイザーを下あごストラップを上昇させる軌跡の経路から外れるように移動させることができる。
【０００８】
本発明の他の利点によれば、バイザーの可動性は、下あごストラップの可動性に連動され、それにより、下あごストラップが上昇することにより、バイザーが同時に上昇する。さらに、連動手段は、バイザーを下あごストラップより早く上昇させることができ、これにより、下あごストラップを上昇させる第１段階の際にバイザーが下あごストラップの軌跡から外れるように構成することができる。
【０００９】
具体的には下あごストラップとバイザーを共動させるために、本発明によるヘルメットについて多くの可能な構成が存在することに留意されたい。
【００１０】
他の目的および利点が、以下の、しかし限定的ではない好ましい実施形態の記述において明らかになるであろう。
【００１１】
本発明は、バイザーおよび下あごストラップが回転式に上に取り付けられているシェルを有する保護ヘルメットに関し、バイザーの下方部分は、下あごストラップが降下しているとき、下あごストラップのゾーンに接して静止し、下あごストラップは、バイザーの周りに上方に可動である。本発明によれば、ヘルメットは、バイザーの下方縁を下あごストラップ上の支持ゾーンの上昇軌跡により近付け、またはバイザーの下方縁を下あごストラップ上の支持ゾーンの上昇軌跡から離して移動させるように構成される、バイザーを移動させる追加の手段を有する。
【００１２】
本発明によれば、このヘルメットは、以下で記述される好ましい実施形態の形態を採ることが可能である：
追加の可動手段は、バイザーを傾斜させる手段であり、
傾斜手段は、シェルの各側面上に、バイザー上のその端部の一方において、およびシェル上のバイザーの回転軸上の他端において旋回するように取り付けられたロッドを含み、
傾斜手段は、回転軸の長円形誘導穴の形態にある、バイザーに接合された側面支持を各側面上に含み、
傾斜手段は、バイザーの追加の可動性を下あごストラップの上昇に連動させる手段を含み、
傾斜手段は、シェルに対するバイザーの回転を下あごストラップの上昇に連動させる手段を含み、
傾斜手段は、バイザーの回転および傾斜を下あごストラップの上昇に連動させる手段を含み、上述された手段は、
シェルの上に回転式に取り付けられたカム、および下あごストラップをその第１上昇段階中に回転させることによってカムを回転式に駆動する手段と、
ロッドおよびバイザーを回転式に駆動するように、ロッドの担持表面を押す、カムに接合された少なくとも１つのフィンガと、
カムにおいて形成され、側面支持を回転軸の周りに駆動するように長円形穴の限界を形成する上方ストップおよび下方ストップの上において担持することができる空洞とを備え、
駆動手段は、カムに接合され、かつ下あごストラップに接合された駆動部分に形成されたトラックにおいて誘導される駆動デバイスを備え、前記トラックは、内部において駆動デバイスが回転式に駆動されるほぼ径方向の部分、および内部において駆動デバイスが回転式に駆動されないほぼ接線方向の部分を備え、
カムは、下あごストラップが下方位置においてたるみ、かつバイザーが降下されているとき、ロッドおよびバイザーを上方移動において回転式に駆動するように、ロッドの担持表面に圧力を及ぼすフィンガを有し、
シェルに対する回転するバイザーを下あごストラップの上昇に連動させる手段は、下あごストラップよりバイザーについてより高い角速度を生成するように構成される。
【００１３】
添付の図面は、例として与えられ、限定ではない。図面は、本発明を容易に理解することを可能にするために、本発明の唯一の実施形態を表す。
【発明を実施するための最良の形態】
【００１４】
図１を参照すると、それ自体で既知の方式で、本発明は、モータサイクリストの頭の後部を保護するシェル１を有するヘルメットの形態を有する。シェル１の各側面６の上に、下あごストラップ３およびバイザー２を取り付ける手段がある。より具体的には、下あごストラップ３およびバイザー２は、回転軸５を介してシェル１に連接される。図示された例では、回転軸は、下あごストラップおよびバイザーの単一回転軸からなる。
【００１５】
下方位置において、バイザー２の下方部分は、下あごストラップ３の上方部分において認識可能に形成されたゾーン４の上において担持される。より具体的には、図示された例では、特に例２に示されるように、担持ゾーン４は、バイザー２の下方部分が前方に位置する縁２１からなる。この構成では、ユニットは非常に緊密で、高い機械的強度を有する。実際、その下方部分において、バイザー２は、縁２１を有する担持ゾーン４のレベルにおいて下あごストラップによって完全に維持される。
【００１６】
バイザー２の外部表面をこすらずに下あごストラップ３を上昇させることを可能にするために、バイザー２は、その下方縁が、下あごストラップ３の支持ゾーン４の上方軌跡により近付くように移動する、またはそれから離れるように移動することができるように、追加の可動性を備える。
【００１７】
図示された例では、追加の可動性は、軸５とは異なる回転軸に沿ってバイザー２を傾斜させることからなる。
【００１８】
したがって、図３に示されたように、傾斜手段により、バイザーの下方縁は、下あごストラップ３がバイザー２の上を通過する前に挿入されることが可能になる。
【００１９】
様々な図は、傾斜手段の実施形態を示す。この文脈では、シェル１の各側面６のレベルにおいて、バイザー２の上の端部の一方において旋回し、回転軸５上の他端において回転式に組み立てられたロッド７が取り付けられている。追加の回転移動性が、ロッド７によってバイザーについて生成されることが容易に理解されるであろう。
【００２０】
したがって、図２に示されるように、バイザー２が上昇されているとき、軸５の周りの回転が創出され、続いてまたは同時に、図３に示されたように傾斜される。
【００２１】
移動を限定するように、ロッド７とバイザー２の間の角変位の可能性を限定することが有利である。
【００２２】
さらに図を参照すると、側面支持８が、各側面６に存在し、バイザー２に接合されて形成され、バイザー２の簡単な拡張を構成することが可能である。側面支持は、回転軸５を誘導するために、側面支持において長円形穴９を有する。
【００２３】
バイザー２は、軸５の周りに回転し、かつロッド７を経て傾斜するように、使用者によって手作業で移動されることが可能である。しかし、バイザーの変位は、下あごストラップ３を上昇させる際に自動的に生成されることが有利である。
【００２４】
バイザー２の変位を制御する手段は、シェル１に対する回転および傾斜における追加の可動性の両方において、この目的について記述される。図示された例は限定ではなく、たとえば、連動は、バイザー追加の可動性または回転のみに関係付けることができる。さらに、本明細書において提案される制御手段は、追加の可動性を有さずにバイザー２を駆動するのに適切である可能性がある。
【００２５】
本明細書において図示された連動手段は、カム１０を経てバイザー２に対する駆動力を生成することができる下あごストラップ３に接合された手段を示す。
【００２６】
カム１０は、バイザー２と下あごストラップ３の間に配置され、下あごストラップ３の側面によって隠される。カム１０は、軸１６によってシェル１の上に回転式に取り付けられる。
【００２７】
駆動部分１９が、下あごストラップ３の側面に接合されて形成され、駆動部分１９は、この場合ほぼ円形であるが、この形状は限定ではなく、カム１０に接合された駆動本体１３の変位トラック１４を示す。
【００２８】
この部分１９は、下あごストラップ３に追加することができ、または、下あごストラップ３と共に単一部分を形成することができ、その場合、部分１９は、下あごストラップ３の一部を形成する。
【００２９】
トラック１４は、径方向部分１４ａを有し、これにより、駆動デバイス１３がこの部分に配置されているとき、部分１９は、駆動力をカム１０に加えることが可能になる。トラック１４はまた、接線部分１４ｂをも有し、接線部分１４ｂでは、部分１９の回転方向に対するトラックの接線配向によって、労力は駆動デバイス１３に伝達されない。
【００３０】
したがって、カム１０は、駆動本体１３が部分１９の変位トラック１４の径方向部分１４ａに存在するとき、下あごストラップ３を上昇させる第１段階の際に駆動される。その後の上昇段階中、部分１９が引き続き回転した後、本体１３は、部分１９の変位トラック１４の接線部分１４ｂに到達し、これによりカム１０は回転しない。
【００３１】
空洞１５が、側面支持８の長円形穴９の２つの端部におけるリリーフにおいて実行される上方ストップ１７および下方ストップ１８を加えて誘導するための壁を形成するように、カム１０において構成される。
【００３２】
ストップ１７、１８および空洞１５が共動することにより、側面支持８の位置は、回転軸５に対して確実に変化する。図１では、回転軸５は、上方ストップ７のレベルにあり、これにより、ロッド７および側面支持８が互いに対して傾斜していない活動位置が生成される。図２では、軸５は、長円形穴９において回転しており、図３では、下方ストップ１８に到達する。この後者の位置において、バイザーの傾斜は最大であり、側面支持８と比較したロッド７の角度のずれを示す。
【００３３】
バイザー２について生成された傾斜の他に、カム１０により、バイザー２は、シェル１の周りに上昇することが可能になる。
【００３４】
このために、カム１０は、上方縁に向かって配置され、かつ連結ロッド７の上に形成されたフックの形態の担持表面２２に力を及ぼすことできるフィンガ１１を有し、それにより、フィンガ１１は、下あごストラップ３を上昇させることによってカム１０が回転式に活動化されるとき、表面２２を押す。図２は、この押す段階を示す。
【００３５】
バイザー２を完全に上昇させた後、図示されていないストップが、上昇を限定するために創出されることが有利である。
【００３６】
本明細書において記述されるシステムの様々な運動学的要素は、下あごストラップ３に対するバイザー２のより速い角度変位を生じるように構成することができることが有利である。これは、具体的には、駆動要素の小さい接線変位からかなりの角度変位を生成するように、フィンガ１１／表面２２の接点を回転軸５により近く配置することによって行われる。
【００３７】
図示された事例は、この実施形態に対応する。
【００３８】
図１から７は、本明細書において記述された保護ヘルメットを使用する連続段階を示す。
【００３９】
したがって、図１において、下あごストラップ３およびバイザー２は、下方活動保護位置にある。
【００４０】
図２において、使用者は、下あごストラップの上昇を開始し、それにより、バイザー２は、より迅速に上昇する。
【００４１】
図３の段階において、バイザー２を軸５に沿って上昇させた後、軸５は、下あごストラップ３の支持ゾーン４の上昇軌跡に対してバイザー２の下方縁を挿入するように、追加の可動性を創出する。
【００４２】
次いで、バイザー２をこすらずに、下あごストラップ３を自由に上昇させることができる。
【００４３】
たとえば、図４に示された位置に到達することが可能である。
【００４４】
図５は、使用者が、バイザー２が再び折りたたまれているが、下あごストラップ３が依然として非活動状態にある「ジェット」位置においてヘルメットを使用する可能性を示す。
【００４５】
図６では、この位置に続いて、使用者は、下あごストラップ３を降下させる。下あごストラップ３が戻る際、駆動デバイス１３は、再び、接線部分１４ｂにほぼ垂直な径方向部分１４ａまで、トラック１４の接線部分１４ｂを採用する。これは、底部に向かって迅速に傾斜するカム１０の反対活動をもたらす。
【００４６】
バイザー２がすでに降下しているとき、下あごストラップ３が下方位置に戻ることを可能にするために、機構が、図６に示されているようにバイザーの事前の上昇を可能にする。
【００４７】
より正確には、フィンガ１２が、ロッド７の後部に形成された表面２３と共動するようにカム１０の上に形成され、それにより、フィンガ１２は、カム１０が下あごストラップ３を降下させることによって回転式に作動されるとき、表面２３を押す。
【００４８】
回転の終了時、フィンガ１２は表面２３から解放され、それにより、バイザー２が降下して、ゾーン４の上に加えられることが可能になる。
【００４９】
これにより、図１および図７に示された初期位置に戻る。
【００５０】
下方位置において、下あごストラップ３は、ラグ２４などの下方ストップによって適所に維持される。下あごストラップをこの位置において固定するために、ロッキング・システムが考慮されることが有利である。
【図面の簡単な説明】
【００５１】
【図１】下あごストラップおよびバイザーが活動位置に降下されている、本発明によるヘルメットの側面図である。
【図２】バイザーおよび下あごストラップの移動の第１段階を示す図である。
【図３】バイザーがさらに移動している後の段階を示す図である。
【図４】下あごストラップがシェルに対してより上昇されている位置を示す図である。
【図５】下あごストラップが引き込まれているときのバイザーの降下を示す図である。
【図６】シェルの上を戻る下あごストラップを示す図である。
【図７】バイザーが移動することで下方位置に到達する下あごストラップの位置を示す図である。
【図８】本発明において共動するロッドを示す図である。
【図９】本発明において共動するバイザーを示す図である。
【図１０】本発明において共動する側面支持を示す図である。
【図１１】本発明において共動するカムを示す図である。
【図１２】本発明において共動する下あごストラップを示す図である。
【符号の説明】
【００５２】
１  シェル
２  バイザー
３  下あごストラップ
４  担持ゾーン
５  回転軸
６  側面
７  ロッド
８  側面支持
９  長円形穴
１０  カム
１１，１２  フィンガ
１３  駆動本体
１４  変位トラック
１４ａ  径方向部分
１４ｂ  接線部分
１５  空洞
１６  軸
１７  上方ストップ
１８  下方ストップ
１９  部分
２１  縁
２２，２３  表面
２４  ラグ
【図１】
2008542564.tif 000003
【図２】
2008542564.tif 000004
【図３】
2008542564.tif 000005
【図４】
2008542564.tif 000006
【図５】
2008542564.tif 000007
【図６】
2008542564.tif 000008
【図７】
2008542564.tif 000009
【図８】
2008542564.tif 000010
【図９】
2008542564.tif 000011
【図１０】
2008542564.tif 000012
【図１１】
2008542564.tif 000013
【図１２】
2008542564.tif 000014
【国際調査報告】
2008542564.tif 000015
2008542564.tif 000016
2008542564.tif 000017
2008542564.tif 000018